(57)【要約】【課題】  放熱効果を確実に発揮できるようにすること。【解決手段】  光ディスクの半径方向に沿って往復移動可能なスライドベース１に金属製ホルダＨを介してレーザダイオードＤＶＤ−ＣＤ・ＬＤ，ＢＤ・ＬＤが止着され、該レーザダイオードＤＶＤ−ＣＤ・ＬＤ，ＢＤ・ＬＤからレーザ光を光ディスクに投射し、その反射光に基づいて光ディスクに記録されている情報を読み取るように形成され、前記スライドベース１に接近して金属製放熱板９が配置され、該放熱板９のホルダ対向位置にグリス孔１２が貫設され、該グリス孔１２からホルダＨと放熱板９との間に放熱グリスＧを注入するようにした光ピックアップの放熱装置において、前記放熱板９にグリス孔１２からレーザダイオードＤＶＤ−ＣＤ・ＬＤ，ＢＤ・ＬＤに向かって延びるスリット１９及び凹溝２０が形成されている。【選択図】        図１
2011086345.tif 000002
【特許請求の範囲】
【請求項１】
光ディスクの半径方向に沿って往復移動可能なスライドベースに金属製ホルダを介して
レーザダイオードが止着され、該レーザダイオードからレーザ光を光ディスクに投射し、
その反射光に基づいて光ディスクに記録されている情報を読み取るように形成され、前記
スライドベースに接近して金属製放熱板が配置され、該放熱板のホルダ対向位置にグリス
孔が貫設され、該グリス孔からホルダと放熱板との間に放熱グリスを注入するようにした
光ピックアップの放熱装置において、前記放熱板にグリス孔からレーザダイオードに向か
って延びるグリス案内路が形成されていることを特徴とする光ピックアップの放熱装置。
【請求項２】
前記グリス案内路が、グリス孔に連通してレーザダイオードに向けて放熱板に貫設され
たスリットからなることを特徴とする請求項１に記載の光ピックアップの放熱装置。
【請求項３】
前記グリス案内路が、グリス孔の周縁からレーザダイオードに向けて放熱板に凹設され
た凹溝からなることを特徴とする請求項１に記載の光ピックアップの放熱装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置の光ピックアップにおける放熱装置に関し、特に、放熱効果を確実に発揮でき
るようにしたものである。
【背景技術】
【０００２】
光ピックアップの一例として図６の概略図に示すものがあり、これはＢｌｕ−ｒａｙ
Ｄｉｓｃ式のレコーダ（またはプレーヤ）であって、スライドベース１の光ディスク対向
面に突設した係合部１ａをガイドレール２にスライド可能に係合させることにより、該ス
ライドベース１が光ディスク（図示せず）の半径方向に沿って往復移動可能に形成され、
そのスライドベース１にＢＤ光学系３とＤＶＤ−ＣＤ光学系４とが設けられており、その
ＢＤ光学系３は、ＢＤ用レーザダイオードＢＤ・ＬＤ、回折格子ＧＲＴ、偏光ビームスプ
リッターＰＢＳ、球面収差補正機構５により往復移動されるコリメータレンズＣＬ及び読
取用受光素子ＰＤ１などを有し、ＤＶＤ−ＣＤ光学系４は、ＤＶＤ−ＣＤ用レーザダイオ
ードＤＶＤ−ＣＤ・ＬＤ、ハーフミラーＨＭ及び読取用受光素子ＰＤ２などを有し、アク
チュエータ６により駆動される対物レンズＯＬが設けられ、スライドベース１にプリント
配線基板からなる制御基板７が係止され、該制御基板７にフレキシブルフラットケーブル
ＦＦＣ（図７参照）を介して各レーザダイオードＤＶＤ−ＣＤ・ＬＤ，ＢＤ・ＬＤ及び各
読取用受光素子ＰＤ１，ＰＤ２が接続されている。
【０００３】
ＢＤ光学系３の読取手順を説明すると、ＢＤ用レーザダイオードＢＤ・ＬＤからレーザ
光ａ１を回折格子ＧＲＴ、偏光ビームスプリッターＰＢＳ、コリメータレンズＣＬ及び対
物レンズＯＬを通って高速回転しているＢＤ型光ディスクに投射し、その反射光ｂ１を読
取用受光素子ＰＤ１で受光し、ＢＤ型光ディスクに記録されている情報を読みとる。
【０００４】
ＤＶＤ−ＣＤ光学系４の読取手順を説明すると、ＤＶＤ−ＣＤ用レーザダイオードＤＶ
Ｄ−ＣＤ・ＬＤからレーザ光ａ２をハーフミラーＨＭ及び対物レンズＯＬを通って高速回
転しているＤＶＤ−ＣＤ型光ディスクに投射し、その反射光ｂ２を読取用受光素子ＰＤ２
で受光し、ＤＶＤ−ＣＤ型光ディスクに記録されている情報を読みとる。
【０００５】
従来、光ピックアップの放熱装置として図７〜図１０に示すものがあり、図７は同斜視
図、図８は同後面図、図９は同一部切欠き側面図、図１０（ａ）〜（ｃ）は放熱グリスの
充填手順を示す説明図である。
【０００６】
図７〜図９に示すように、前記各レーザダイオードＤＶＤ−ＣＤ・ＬＤ，ＢＤ・ＬＤが
矩形横長状の金属製ホルダＨの中央嵌合孔に嵌入され、該各ホルダＨが紫外線硬化性接着
剤ＵＶによりスライドベース１に止着され、スライドベース１の光ディスク反対面に放熱
板９が配置されている。
【０００７】
前記放熱板９は、スライドベース１の光ディスク反対面に接近させた放熱板本体９ａと
、該放熱板本体９ａの一方側縁から折り曲げられてＤＶＤ−ＣＤ用レーザダイオードＤＶ
Ｄ−ＣＤ・ＬＤに対向する放熱側板９ｂと、その放熱板本体９ａの後縁から折り曲げられ
てＢＤ用レーザダイオードＢＤ・ＬＤに対向する放熱後板９ｃとを有し、放熱側板９ｂに
略Ｕ字状凹部１０が形成されると共に、放熱後板９ｃに略Ｌ字状切欠き凹部１１が形成さ
れ、各ホルダＨに対向して放熱板本体９ａと放熱後板９ｃとに複数（この例では３つ）の
グリス孔１２が貫設されている。
【０００８】
図７〜図９に示すように、スライドベース１の光ディスク反対面に所定間隔をおいて一
対の円柱状位置決め杆１４が一体突設されると共に、該各位置決め杆１４に対向して放熱
板本体９ａに一対の長孔１５が貫設され、ビス１６を挿通するための一対のビス挿通孔１
７が放熱板本体９ａに貫設されている。
【０００９】
放熱板９の取付手順を説明すると、スライドベース１の光ディスク反対面を上向きにし
た状態で、ＤＶＤ−ＣＤ用レーザダイオードＤＶＤ−ＣＤ・ＬＤのホルダＨの表面２箇所
に予め放熱グリスＧを所定量付着させ（図９参照）、その後、放熱板９を上方から降ろす
ことにより、各位置決め杆１４に各長孔１５を嵌合させ、放熱板本体９ａを各ホルダＨの
下面に所定間隔をおいて接近させると共に、放熱後板９ｃをホルダＨの表面に所定間隔を
おいて接近させる。
【００１０】
続いて、放熱板９を矢印Ａ方向に移動させることにより、放熱側板９ｂをホルダＨの表
面に所定間隔をおいて接近させ、該ホルダＨの表面２箇所に予め付着させていた放熱グリ
スＧをそのホルダＨと放熱側板９ｂとで挟み付ける。その後、各ビス１６をビス挿通孔１
７を介してスライドベース１のねじ孔にねじ込み、該スライドベース１に放熱板９を止着
する。
【００１１】
次に、図１０（ａ）〜（ｃ）において矢印Ｂで示すように、各グリス孔１２に放熱グリ
スＧを所定量注入し、その放熱グリスＧを放熱板本体９ａ及び放熱後板９ｃとホルダＨと
の間に塗布する。
【００１２】
上記構成によれば、各レーザダイオードＤＶＤ−ＣＤ・ＬＤ，ＢＤ・ＬＤを作動させる
ことによって発生する高熱を各ホルダＨ、放熱グリスＧ及び放熱板９を介して大気に放出
し、その各レーザダイオードＤＶＤ−ＣＤ・ＬＤ，ＢＤ・ＬＤの高熱による性能低下を防
ぐ。なお、関連する技術として特許文献１に記載したものがある。
【先行技術文献】
【特許文献】
【００１３】
【特許文献１】特開２００３−２７２２０８号公報
【発明の概要】
【発明が解決しようとする課題】
【００１４】
上記従来の構成では、放熱板９に直径１．５ｍｍ程度の小さなグリス孔１２を貫設して
いるだけであるから、図１０（ｂ）及び（ｃ）に示すように、グリス孔１２から注入した
放熱グリスＧが放熱板９の裏面に沿って広がるだけでホルダＨに付着しなかったり、付着
してもその接触面積が小さくなって、注入不良となり、放熱効果を発揮できなくなること
があり、その注入状態を組立工程では目視により確認することができず、組立終了後、各
レーザダイオードＤＶＤ−ＣＤ・ＬＤ，ＢＤ・ＬＤの放熱試験で放熱グリスＧの注入が適
正であったか否かを確認しており、この時点で、注入不良の不良品を排除したのでは、歩
留りが悪くなってコストアップになる。
【００１５】
本発明は、上記従来の欠点に鑑み、放熱効果を確実に発揮できるようにした光ピックア
ップの放熱装置を提供することを目的としている。
【課題を解決するための手段】
【００１６】
上記目的を達成するため、請求項１に記載の発明は、光ディスクの半径方向に沿って往
復移動可能なスライドベースに金属製ホルダを介してレーザダイオードが止着され、該レ
ーザダイオードからレーザ光を光ディスクに投射し、その反射光に基づいて光ディスクに
記録されている情報を読み取るように形成され、前記スライドベースに接近して金属製放
熱板が配置され、該放熱板のホルダ対向位置にグリス孔が貫設され、該グリス孔からホル
ダと放熱板との間に放熱グリスを注入するようにした光ピックアップの放熱装置において
、前記放熱板にグリス孔からレーザダイオードに向かって延びるグリス案内路が形成され
ていることを特徴とする光ピックアップの放熱装置。
【００１７】
請求項２に記載の発明は、請求項１に記載の発明において、前記グリス案内路が、グリ
ス孔に連通してレーザダイオードに向けて放熱板に貫設されたスリットからなることを特
徴としている。
【００１８】
請求項３に記載の発明は、請求項１に記載の発明において、前記グリス案内路が、グリ
ス孔の周縁からレーザダイオードに向けて放熱板に凹設された凹溝からなることを特徴と
している。
【発明の効果】
【００１９】
請求項１に記載の発明によれば、グリス孔に注入した放熱グリスがグリス案内路に沿っ
て流されるため、その流された放熱グリスをホルダに確実に接触させて放熱効果を高め、
レーザダイオードの高熱による性能低下を防ぐことができる。
【００２０】
請求項２に記載の発明によれば、グリス孔に注入した放熱グリスがスリットに沿って流
されるため、その流された放熱グリスをホルダに確実に接触させて放熱効果を高め、レー
ザダイオードの高熱による性能低下を防ぐことができる。
【００２１】
また、放熱グリスの注入が適正に行われたか否かをスリットを通して目視により確認す
ることができ、これによって、放熱グリスの注入が適正であったか否かの確認作業を従来
のように組立終了後の放熱試験まで待つ必要がなくなり、製品の歩留りを高めてコストダ
ウンを図ることができる。
【００２２】
請求項３に記載の発明によれば、グリス孔に注入した放熱グリスが凹溝に沿って流され
るため、その流された放熱グリスをホルダに確実に接触させて放熱効果を高め、レーザダ
イオードの高熱による性能低下を防ぐことができる。
【図面の簡単な説明】
【００２３】
【図１】本発明の実施の一形態である光ピックアップの放熱装置を示す斜視図である。
【図２】同後面図である。
【図３】同一部切欠き側面図である。
【図４】（ａ）〜（ｃ）は放熱グリスの充填手順の一例を示す説明図である。
【図５】（ａ）〜（ｃ）は放熱グリスの充填手順の他の例を示す説明図である。
【図６】光ピックアップの一例を示す概略図である。
【図７】従来の光ピックアップの放熱装置を示す斜視図である。
【図８】同後面図である。
【図９】同一部切欠き側面図である。
【図１０】（ａ）〜（ｃ）は放熱グリスの充填手順を示す説明図である。
【発明を実施するための形態】
【００２４】
図１〜図５は本発明の実施の一形態である光ピックアップの放熱装置を示すものであっ
て、各レーザダイオードＤＶＤ−ＣＤ・ＬＤ，ＢＤ・ＬＤのホルダＨに対向して放熱板本
体９ａ及び放熱後板９ｃにそれぞれ貫設した３つのグリス孔１２のうち、放熱板本体９ａ
の２つのグリス孔１２に連通するスリット（グリス案内路）１９と、放熱後板９ｃのグリ
ス孔１２に連通する凹溝（グリス案内路）２０とが形成されている。上記以外の構成は図
６〜図１０に示す構成とほぼ同じであるから、同一部分に同一符号を付してその説明を省
略する。
【００２５】
前記スリット１９は、図４（ａ）〜（ｃ）に示すように、放熱板本体９ａの各グリス孔
１２に連通して各レーザダイオードＤＶＤ−ＣＤ・ＬＤ，ＢＤ・ＬＤに向けて放熱側板９
ｂ（及び放熱後板９ｃ）を上下方向に沿って貫設されており、例えば幅ｔ１が０．５ｍｍ
である。
【００２６】
前記凹溝２０は、図５（ａ）〜（ｃ）に示すように、放熱後板９ｃのグリス孔１２の周
縁から該放熱後板９ｃの端縁まで斜め方向に沿って凹設されており、例えば幅ｔ２が３ｍ
ｍ、長さｈが３．５ｍｍ、深さｄが０．２ｍｍである。
【００２７】
放熱板９の取付手順の前半は従来とほぼ同じであるからその説明を省略する。その取付
手順の後半では、図４（ａ）〜（ｃ）及び図５（ａ）〜（ｃ）において矢印Ｂで示すよう
に、各グリス孔１２に放熱グリスＧを所定量注入する。その注入された放熱グリスＧがス
リット１９及び凹溝２０に沿って流れて放熱板９とホルダＨとの間に塗布される。
【００２８】
上記構成によれば、各グリス孔１２に注入した放熱グリスＧがスリット１９及び凹溝２
０に沿って流されることにより、その放熱グリスＧがホルダＨに確実に接触して放熱効果
を高め、各レーザダイオードＤＶＤ−ＣＤ・ＬＤ，ＢＤ・ＬＤの高熱による性能低下を防
ぐことができる。
【００２９】
また、スリット１９を通して目視により放熱グリスＧの注入が適正に行われたか否かを
確認することができ、これによって、放熱グリスＧの注入が適正であったか否かの確認作
業を従来のように組立終了後の放熱試験まで待つ必要がなくなり、製品の歩留りを高めて
コストダウンを図ることができる。
【００３０】
上記の実施の形態では、放熱板本体９ａのグリス孔１２から放熱側板９ｂ及び放熱後板
９ｃの端縁までスリット１９を形成し、放熱後板９ｃのグリス孔１２から該放熱後板９ｃ
の端縁まで凹溝２０を形成したが、これに限定されるわけではなく、上記とは逆に、放熱
板本体９ａのグリス孔１２から放熱側板９ｂ及び放熱後板９ｃの端縁まで凹溝２０を形成
し、放熱後板９ｃのグリス孔１２から該放熱後板９ｃの端縁までスリット１９を形成する
ようにしてよい。
【符号の説明】
【００３１】
１                  スライドベース
９                  放熱板
１２                グリス孔
１９                スリット（グリス案内路）
２０                凹溝（グリス案内路）
Ｈ                  ホルダ
ＢＤ・ＬＤ          ＢＤ用レーザダイオード
ＤＶＤ−ＣＤ・ＬＤ  ＤＶＤ−ＣＤ用レーザダイオード
【図１】
2011086345.tif 000003
【図２】
2011086345.tif 000004
【図３】
2011086345.tif 000005
【図４】
2011086345.tif 000006
【図５】
2011086345.tif 000007
【図６】
2011086345.tif 000008
【図７】
2011086345.tif 000009
【図８】
2011086345.tif 000010
【図９】
2011086345.tif 000011
【図１０】
2011086345.tif 000012